(57)【要約】【課題】胴回り部に設けられた伸縮性シートの胴回り開口部側の端部の意図しないめくれを抑えたパンツ型吸収性物品を提供すること。【解決手段】吸収性コア（１１Ａ）、第１胴回り部（２０）、及び、第２胴回り部（３０）を有するパンツ型吸収性物品であって、第１胴回り部（２０）は左右方向に伸縮する伸縮性シート（２４）と非伸縮性シート（２１，２２）と伸縮性シート（２４）を非伸縮性シート（２１，２２）に固定する固定部（４１）とを有し、伸縮性シート（２４）の左右方向に沿う一端は他端よりも上方に位置し、固定部（４１）は伸縮性シート（２４）の一端を上下方向に跨いで設けられていること。【選択図】図５
2019118581.tif 000002
【特許請求の範囲】
【請求項１】
上下方向、及び、左右方向を有し、
吸収性コア、第１胴回り部、及び、第２胴回り部を有するパンツ型吸収性物品であって、
前記第１胴回り部は、前記左右方向に伸縮する伸縮性シートと、前記伸縮性シートに積層された非伸縮性シートと、前記伸縮性シートを前記非伸縮性シートに固定する固定部と、を有し、
前記伸縮性シートは、前記左右方向に沿う一端、及び、他端を有し、
前記伸縮性シートの前記一端は、前記他端よりも上方に位置し、
前記固定部は、前記伸縮性シートの前記一端を前記上下方向に跨いで設けられていることを特徴とするパンツ型吸収性物品。
【請求項２】
請求項１に記載のパンツ型吸収性物品であって、
前記伸縮性シートは、前記第１胴回り部の上端部に設けられていることを特徴とするパンツ型吸収性物品。
【請求項３】
請求項１又は２に記載のパンツ型吸収性物品であって、
前記非伸縮性シートは、前記左右方向に沿う一端、及び、他端を有し、
前記非伸縮性シートの前記一端は、前記他端よりも上方に位置し、
前記非伸縮性シートの前記一端の側の部位は、下方向に折り返されており、
前記上下方向において、前記第１胴回り部の上端から前記伸縮性シートの前記一端までの長さは、前記第１胴回り部の前記上端から前記非伸縮性シートの前記一端までの長さよりも短いことを特徴とするパンツ型吸収性物品。
【請求項４】
請求項１から３の何れか１項に記載のパンツ型吸収性物品であって、
前記固定部は、前記伸縮性シートの両面のうちの一方の面を前記非伸縮性シートに固定する第１領域と、前記第１領域以外の第２領域とを有し、
前記第２領域の少なくとも一部が、露出していないことを特徴とするパンツ型吸収性物品。
【請求項５】
請求項４に記載のパンツ型吸収性物品であって、
前記第２領域の全てが、露出していないことを特徴とするパンツ型吸収性物品。
【請求項６】
請求項４又は請求項５に記載のパンツ型吸収性物品であって、
前記非伸縮性シートは、前記左右方向に沿う一端、及び、他端を有し、
前記非伸縮性シートの前記一端は、前記他端よりも上方に位置し、
前記非伸縮性シートの前記一端の側の部位は、下方向に折り返されており、
前記固定部の前記第２領域は、折り返された前記非伸縮性シートの部位で覆われていることを特徴とするパンツ型吸収性物品。
【請求項７】
請求項１から請求項６の何れか１項に記載のパンツ型吸収性物品であって、
前記伸縮性シートの前記一端の側の部位は、下方向に折り返されていないことを特徴とするパンツ型吸収性物品。
【請求項８】
請求項７に記載のパンツ型吸収性物品であって、
前記固定部は、前記左右方向に沿う一端、及び、他端を有し、
前記固定部の前記一端は、前記他端よりも上方に位置し、
前記固定部の前記一端の側の部位は、下方向に折り返されていないことを特徴とするパンツ型吸収性物品。
【請求項９】
請求項８に記載のパンツ型吸収性物品であって、
前記伸縮性シートの前記一端、及び、前記固定部の前記一端は、前記第１胴回り部の上端よりも下方に位置していることを特徴とするパンツ型吸収性物品。
【請求項１０】
請求項７に記載のパンツ型吸収性物品であって、
前記固定部は、前記左右方向に沿う一端、及び、他端を有し、
前記固定部の前記一端は、前記他端よりも上方に位置し、
前記固定部の前記一端の側の部位は、下方向に折り返されていることを特徴とするパンツ型吸収性物品。
【請求項１１】
請求項１から請求項６の何れか１項に記載のパンツ型吸収性物品であって、
前記伸縮性シートの前記一端の側の部位は、下方向に折り返されており、
折り返された前記伸縮性シートの前記一端の側の部位と、折り返されていない前記伸縮性シートの部位との対向面は、固定されていないことを特徴とするパンツ型吸収性物品。
【請求項１２】
請求項１から１１の何れか１項に記載のパンツ型吸収性物品であって、
前記伸縮性シートの前記他端の側の部位は、前記固定部の下端を起点に上方向に折り返されていることを特徴とするパンツ型吸収性物品。
【発明の詳細な説明】
【技術分野】
【０００１】
本発明は、パンツ型吸収性物品に関する。
【背景技術】
【０００２】
パンツ型吸収性物品として、パンツ型使い捨ておむつが知られている。特許文献１には、前身頃外装体と後身頃外装体の間に吸収性本体が架橋され、前身頃外装体と後身頃外装体の幅方向両側縁が互いに接合され、腰周り開口部が形成されたパンツ型使い捨ておむつが開示されている。前身頃外装体、及び、後身頃外装体では、腰周り伸縮材が、インナーシートとアウターシート（非伸縮性シート）の間に伸長状態で固定されている。
【先行技術文献】
【特許文献】
【０００３】
【特許文献１】特開２０１３−１３８７９５号
【発明の概要】
【発明が解決しようとする課題】
【０００４】
特許文献１では、腰周り伸縮材として糸状の伸縮材が例示されているが、代わりに伸縮性シートを利用することで、前身頃外装体や後身頃外装体（胴回り部）を面で着用者に密着させることができる。そのため、伸縮材の跡を残り難くすることができる。
【０００５】
ただし、伸縮性シートを伸長状態で非伸縮性シートに固定した後、伸縮性シートの端部が非伸縮性シートに固定されていないと、伸縮性シートの端部がめくれる現象が生じる。これは、例えば製造ラインにおいて、搬送ローラー間で伸縮性シートに張力を掛けて、伸縮性シートを伸長しながら搬送していても、搬送ローラーからの位置によって張力の掛かり方に微小な差が生じ、伸縮性シートが局所的に収縮し、めくれてしまうと考えられる。また、伸縮性シートの伸長方向に交差する幅方向に、伸縮性シートを広げて戻した場合にも、伸縮性シートがめくれやすくなると考えられる。
【０００６】
特に、胴回り開口部側（腰周り開口部側）の伸縮性シートの端部がめくれて折り返されてしまうと、折り返された伸縮性シートの分だけ伸縮力が増加する。その結果、胴回りの伸縮力が設計した力よりも大きくなり、着用時に胴回り開口部を広げにくくなってしまう。
【０００７】
本発明は、上記のような従来の問題に鑑みてなされたものであって、その目的は、胴回り部に設けられた伸縮性シートの胴回り開口部側の端部の意図しないめくれを抑えたパンツ型吸収性物品を提供することにある。
【課題を解決するための手段】
【０００８】
上記目的を達成するための主たる発明は、上下方向、及び、左右方向を有し、吸収性コア、第１胴回り部、及び、第２胴回り部を有するパンツ型吸収性物品であって、前記第１胴回り部は、前記左右方向に伸縮する伸縮性シートと、前記伸縮性シートに積層された非伸縮性シートと、前記伸縮性シートを前記非伸縮性シートに固定する固定部と、を有し、前記伸縮性シートは、前記左右方向に沿う一端、及び、他端を有し、前記伸縮性シートの前記一端は、前記他端よりも上方に位置し、前記固定部は、前記伸縮性シートの前記一端を前記上下方向に跨いで設けられていることを特徴とするパンツ型吸収性物品である。
本発明の他の特徴については、本明細書及び添付図面の記載により明らかにする。
【発明の効果】
【０００９】
本発明によれば、胴回り部に設けられた伸縮性シートの胴回り開口部側の端部の意図しないめくれを抑えたパンツ型吸収性物品を提供することができる。
【図面の簡単な説明】
【００１０】
【図１】パンツ型使い捨ておむつ１（以下「おむつ」）の斜視図である。
【図２】展開かつ伸長状態のおむつ１の平面図である。
【図３】図２のＩＩ線での断面図である。
【図４】製造途中の腹側胴回り部２０の断面図である。
【図５】製品状態の腹側胴回り部２０の断面図である。
【図６】図４に示す腹側胴回り部２０の平面図である。
【図７】腹側胴回り部２０の変形例の断面図である。
【図８】腹側胴回り部２０の変形例の断面図である。
【図９】腹側胴回り部２０の変形例の断面図である。
【図１０】腹側胴回り部２０の変形例の断面図である。
【図１１】伸縮性シート２４の股下側の端部についての説明図である。
【図１２】伸縮性シート２４の股下側の端部についての説明図である。
【図１３】伸縮性シート２４の股下側の端部についての説明図である。
【図１４】伸縮性シート２４の股下側の端部についての説明図である。
【図１５】伸縮性シート２４の股下側の端部についての説明図である。
【発明を実施するための形態】
【００１１】
本明細書及び添付図面の記載により、少なくとも以下の事項が明らかとなる。  
上下方向、及び、左右方向を有し、吸収性コア、第１胴回り部、及び、第２胴回り部を有するパンツ型吸収性物品であって、前記第１胴回り部は、前記左右方向に伸縮する伸縮性シートと、前記伸縮性シートに積層された非伸縮性シートと、前記伸縮性シートを前記非伸縮性シートに固定する固定部と、を有し、前記伸縮性シートは、前記左右方向に沿う一端、及び、他端を有し、前記伸縮性シートの前記一端は、前記他端よりも上方に位置し、前記固定部は、前記伸縮性シートの前記一端を前記上下方向に跨いで設けられていることを特徴とするパンツ型吸収性物品である。
【００１２】
このようなパンツ型吸収性物品によれば、固定部によって伸縮性シートはその一端まで非伸縮性シートに固定される。そのため、固定部が存在しないことによる伸縮性シートの一端部のめくれを抑制できる、すなわち、伸縮性シートの胴回り開口部側の端部の意図しないめくれを抑制できる。また、固定部が存在しないことにより伸縮性シートの一端部がめくれて折り返されることがなく、伸縮性シートの胴回り開口部側の端部の伸縮力が増加してしまうことを防止できる。よって、胴回り開口部の広げやすさを維持できる。
【００１３】
かかるパンツ型吸収性物品であって、前記伸縮性シートは、前記第１胴回り部の上端部に設けられていることを特徴とするパンツ型吸収性物品である。
【００１４】
このようなパンツ型吸収性物品によれば、第１胴回り部の上端部での伸縮力の増加を防止でき、胴回り開口部の広げやすさを維持できる。
【００１５】
かかるパンツ型吸収性物品であって、前記非伸縮性シートは、前記左右方向に沿う一端、及び、他端を有し、前記非伸縮性シートの前記一端は、前記他端よりも上方に位置し、前記非伸縮性シートの前記一端の側の部位は、下方向に折り返されており、前記上下方向において、前記第１胴回り部の上端から前記伸縮性シートの前記一端までの長さは、前記第１胴回り部の前記上端から前記非伸縮性シートの前記一端までの長さよりも短いことを特徴とするパンツ型吸収性物品である。
【００１６】
このようなパンツ型吸収性物品によれば、例えば、伸縮性シートの一端の側の部位が折り返されていない場合には、伸縮性シートが下方に位置し過ぎることがない。よって、腹側胴回り部の上端部のフィット性を維持できる。また、例えば、伸縮性シートの一端の側の部位が折り返されている場合には、伸縮性シートの折り返しの長さが長過ぎることがない。よって、第１胴回り部の胴回り開口部側の端部の伸縮力を適度に抑えられる。
【００１７】
かかるパンツ型吸収性物品であって、前記固定部は、前記伸縮性シートの両面のうちの一方の面を前記非伸縮性シートに固定する第１領域と、前記第１領域以外の第２領域とを有し、前記第２領域の少なくとも一部が、露出していないことを特徴とするパンツ型吸収性物品である。
【００１８】
このようなパンツ型吸収性物品によれば、第１胴回り部の着け心地の低下、及び、触り心地の低下を抑制できる。
【００１９】
かかるパンツ型吸収性物品であって、前記第２領域の全てが、露出していないことを特徴とするパンツ型吸収性物品である。
【００２０】
このようなパンツ型吸収性物品によれば、第１胴回り部の着け心地の低下、及び、触り心地の低下を抑制できる。
【００２１】
かかるパンツ型吸収性物品であって、前記非伸縮性シートは、前記左右方向に沿う一端、及び、他端を有し、前記非伸縮性シートの前記一端は、前記他端よりも上方に位置し、前記非伸縮性シートの前記一端の側の部位は、下方向に折り返されており、前記固定部の前記第２領域は、折り返された前記非伸縮性シートの部位で覆われていることを特徴とするパンツ型吸収性物品である。
【００２２】
このようなパンツ型吸収性物品によれば、固定部の第２領域を露出させないようにすることができる。
【００２３】
かかるパンツ型吸収性物品であって、前記伸縮性シートの前記一端の側の部位は、下方向に折り返されていないことを特徴とするパンツ型吸収性物品。
【００２４】
このようなパンツ型吸収性物品によれば、第１胴回り部の伸縮力を適度に抑えられる。
【００２５】
かかるパンツ型吸収性物品であって、前記固定部は、前記左右方向に沿う一端、及び、他端を有し、前記固定部の前記一端は、前記他端よりも上方に位置し、前記固定部の前記一端の側の部位は、下方向に折り返されていないことを特徴とするパンツ型吸収性物品である。
【００２６】
このようなパンツ型吸収性物品によれば、第１胴回り部を柔らかくでき、着用者の肌を刺激してしまうことを抑制できる。
【００２７】
かかるパンツ型吸収性物品であって、前記伸縮性シートの前記一端、及び、前記固定部の前記一端は、前記第１胴回り部の上端よりも下方に位置していることを特徴とするパンツ型吸収性物品である。
【００２８】
このようなパンツ型吸収性物品によれば、第１胴回り部をさらに柔らかくでき、着用者の肌を刺激してしまうことを抑制できる。
【００２９】
かかるパンツ型吸収性物品であって、前記固定部は、前記左右方向に沿う一端、及び、他端を有し、前記固定部の前記一端は、前記他端よりも上方に位置し、前記固定部の前記一端の側の部位は、下方向に折り返されていることを特徴とするパンツ型吸収性物品である。
【００３０】
このようなパンツ型吸収性物品によれば、固定部が下方向に折り返されて積層されている第１胴回り部の部位の剛性を高められる。よって、パンツ型吸収性物品の引き上げ時に、第１胴回り部を把持しやすくなる。
【００３１】
かかるパンツ型吸収性物品であって、前記伸縮性シートの前記一端の側の部位は、下方向に折り返されており、折り返された前記伸縮性シートの前記一端の側の部位と、折り返されていない前記伸縮性シートの部位との対向面は、固定されていないことを特徴とするパンツ型吸収性物品である。
【００３２】
このようなパンツ型吸収性物品によれば、下方向に折り返された伸縮性シートの一端を上下方向に跨いで固定部が設けられる。そのため、下方向に折り返された伸縮性シートの部位に対して、伸縮性シートの一端部が意図せずめくれてしまうことを抑制できる。また、伸縮性シートの折り返された部位と折り返されていない部位との間に空間が形成される。よって、第１胴回り部のクッション性が高まり、着用者への肌当たりを良くできる。
【００３３】
かかるパンツ型吸収性物品であって、前記伸縮性シートの前記他端の側の部位は、前記固定部の下端を起点に上方向に折り返されていることを特徴とするパンツ型吸収性物品である。
【００３４】
このようなパンツ型吸収性物品によれば、固定部によって伸縮性シートはその一端まで非伸縮性シートに固定される。そのため、固定部が存在しないことによる伸縮性シートの一端部のめくれを抑制できる、すなわち、伸縮性シートの胴回り開口部側の端部の意図しないめくれを抑制できる。一方で、伸縮性シートの他端の側の部位は、固定部によって非伸縮性シートに固定されないことで、固定部の下端を起点に上方向に折り返され、伸縮性シートの股下側の端部の伸縮力を高められる。そのため、吸収性コアの位置ずれを抑制できる。よって、排泄後も着用者に対する吸収性コアのフィット性を維持でき、排泄物の漏れを低減できる。
【００３５】
＝＝＝実施形態＝＝＝
以下、本発明に係るパンツ型吸収性物品として、乳幼児用の使い捨ておむつを例に挙げて実施形態を説明する。ただし、本発明に係るパンツ型吸収性物品は、乳幼児用の使い捨ておむつに限らず、大人用の使い捨ておむつや、生理用ショーツ等としても利用可能である。
【００３６】
＝＝＝パンツ型使い捨ておむつ１の構成＝＝＝
図１は、パンツ型使い捨ておむつ１（以下「おむつ」）の斜視図である。図２は、展開かつ伸長状態のおむつ１の平面図である。図３は、図２のＩＩ線での断面図である。
【００３７】
おむつ１は、図１に示すパンツ型状態において、上下方向、及び、左右方向を有し、胴回り開口部ＢＨ、及び、一対の脚回り開口部ＬＨが形成されている。上下方向において、胴回り開口部ＢＨ側を上側とし、股下側を下側とする。また、図３に示すように、おむつ１を構成する資材が積層された方向を厚さ方向といい、厚さ方向において着用者に接触する側を肌側といい、着用者に接触しない側を非肌側という。
【００３８】
また、おむつ１は、平面視長方形状の３部材である、吸収性本体１０、腹側胴回り部２０、及び、背側胴回り部３０を有する。腹側胴回り部２０は着用者の腹側部に当てられ、背側胴回り部３０は着用者の背側部に当てられる。
【００３９】
図２に示す展開状態のおむつ１において、腹側胴回り部２０及び背側胴回り部３０は、それらの長手方向がおむつ１の左右方向に沿うように配置されている。そして、左右方向における腹側胴回り部２０の中央部に、吸収性本体１０の長手方向一方側の端部が配置され、左右方向における背側胴回り部３０の中央部に、吸収性本体１０の長手方向他方側の端部が配置されている。
【００４０】
図２に示す展開状態のおむつ１において、吸収性本体１０の長手方向がおむつ１の上下方向に沿うように、吸収性本体１０が長手方向の略中央で二つ折りされ、おむつ１の左右方向における腹側胴回り部２０の両側端部と背側胴回り部３０の両側端部とが、熱溶着や超音波溶着等で接合されて、一対の接合領域２が形成されることにより、図１に示すパンツ型状態のおむつ１となる。
【００４１】
吸収性本体１０は、図３に示すように、吸収体１１と、吸収体１１よりも肌側に配置された液透過性のトップシート１２と、吸収体１１よりも非肌側に配置された液不透過性のバックシート１３と、バックシート１３よりも非肌側に配置された外装シート１４とを有する。
【００４２】
吸収体１１は、尿等の排泄液を吸収して保持する吸収性コア１１Ａと、吸収性コア１１Ａを覆う液透過性のコアラップシート１１Ｂとを有する。吸収性コア１１Ａとしては、高吸収性ポリマー（ＳＡＰ）を含むパルプ等の液体吸収性繊維が所定の形状に成形されたものを例示できる。
【００４３】
また、図２に示すように、左右方向における吸収性本体１０の両側部には、脚回り弾性部材１５が設けられており、おむつ１は着用者の脚回りにフィットする。脚回り弾性部材１５は、例えば、左右方向の内側に折り返されて２層となった外装シート１４の間において、吸収性本体１０の長手方向に伸長状態で固定されている。脚回り弾性部材１５としては、糸状弾性部材や伸縮性シートを例示できる。
【００４４】
腹側胴回り部２０及び背側胴回り部３０は、図３に示すように、それぞれ、内層シート２１，３１と、内層シート２１，３１に積層された外層シート２２，３２と、複数の糸状弾性部材２３，３３とを有する。
【００４５】
外層シート２２，３２は内層シート２１，３１よりも非肌側に配置されている。内層シート２１，３１及び外層シート２２，３２は吸収性本体１０よりも非肌側に配置されている。ただし、外層シート２２，３２の上方の端部２２１，３２１は下方向に折り返されて吸収性本体１０の長手方向の端部を肌側から覆っている。
【００４６】
内層シート２１，３１及び外層シート２２，３２単体は、おむつ１の左右方向の伸縮性を実質的に有さない非伸縮性シートである。内層シート２１，３１及び外層シート２２，３２としては、ＳＭＳ不織布（スパンボンド・メルトブローン・スパンボンド不織布）、スパンボンド不織布、エアスルー不織布、プラスチックシート、開孔プラスチックシート及びそれらのラミネートシートなどを用いることができる。
【００４７】
複数の糸状弾性部材２３，３３は、内層シート２１，３１と外層シート２２，３２の間において、上下方向に並んで配置されるとともに、左右方向に伸長状態で固定されている。よって、腹側胴回り部２０及び背側胴回り部３０は左右方向に伸縮し、着用者の胴回りにフィットする。糸状弾性部材２３，３３としては、ゴムやスパンデックス等の糸状弾性部材を例示できる。
【００４８】
背側胴回り部３０では、上端部から下端部に亘って糸状弾性部材３３が配置されている。一方、腹側胴回り部２０の上端部には、糸状弾性部材２３が配置されておらず、代わりに、左右方向に伸縮する伸縮性シート２４が配置されている。なお、本実施形態では、伸縮性シート２４の下端部と糸状弾性部材２３とが上下方向に重複して配置されているが、重複していなくてもよい。
【００４９】
このように腹側胴回り部２０の上端部に糸状弾性部材２３を配置せずに伸縮性シート２４を配置することで、腹側胴回り部２０の上端部が面で着用者に密着する。そのため、局所的な締め付けが抑えられ、伸縮部材の跡を残り難くすることができる。特に乳幼児の腹部はぽっこり出ているため、腹側胴回り部２０の締め付けを抑えることが好ましい。
【００５０】
また、おむつ１着用時の胴回り開口部ＢＨの広げやすさについては、胴回り部２０，３０の上端部の伸縮力が大きく影響する。伸縮性シート２４は、自然状態から伸長しやすく、伸長状態から収縮しにくい性質を有する。そのため、腹側胴回り部２０の上端部に伸縮性シート２４を配置することで、おむつ１着用時に胴回り開口部ＢＨを広げやすくなり、また、胴回り部２０，３０を着用者にフィットさせた後の腹部の締め付けを防止できる。
【００５１】
伸縮性シート２４には、例えば、質量が１０〜４０ｇ／ｍ2、より好ましくは、質量が１５〜３０ｇ／ｍ2の弾性繊維から構成されたスパンボンド不織布、エアスルー不織布、ニードルパンチ不織布等、各種公知の製法によって製造された伸縮性の繊維不織布を用いることができる。弾性繊維は、熱可塑性エラストマーやゴムなどを原料とするものであって、特に熱可塑性エラストマーを原料として用いる場合には、通常の熱可塑性樹脂と同様に押出機を用いた溶融紡糸が可能であり、またそのようにして得られた繊維は熱融着させ易く、伸縮性の繊維不織布として好適である。熱可塑性エラストマーとしては、スチレン系エラストマー、オレフィン系エラストマー、ポリエステル系エラストマー、ポリウレタン系エラストマーを挙げることができる。これらは、一種を単独で又は二種以上を組み合わせて用いることができる。伸縮性シートは少なくとも左右方向に弾性を示すものであればよく、二方向以上に弾性を示すものであってもよい。伸縮性シート２４の左右方向の伸長倍率は１．２倍〜３.０倍程度が好ましい。
【００５２】
＝＝＝伸縮性シート２４の胴回り開口部ＢＨ側の端部＝＝＝
図４は、製造途中の腹側胴回り部２０の断面図である。図５は、製品状態の腹側胴回り部２０の断面図である。図６は、図４に示す腹側胴回り部２０の平面図である。なお、図４及び図５は腹側胴回り部２０の構成を模式的に示した図であり、腹側胴回り部２０の厚さが厚く描かれている。後述の断面図も同様である。また、図６では糸状弾性部材２３が省略されている。
【００５３】
前述のように、腹側胴回り部２０は、内層シート２１と、外層シート２２と、伸縮性シート２４とを有する。製造途中の状態（図４）において、厚さ方向の非肌側から順に、外層シート２２、内層シート２１、伸縮性シート２４が積層されている。
【００５４】
内層シート２１、外層シート２２、及び、伸縮性シート２４は、それぞれ、図６に示すように、左右方向に沿って延びる一端２１ａ、２２ａ、２４ａ、及び、他端２１ｂ、２２ｂ、２４ｂを有する。製品状態（図５）において、各シートの一端２１ａ、２２ａ、２４ａは他端２１ｂ、２２ｂ、２４ｂよりも上方に位置している。
【００５５】
内層シート２１及び外層シート２２は、間に塗布された不図示の接着剤によって接合されている。内層シート２１及び外層シート２２が本発明の非伸縮性シートに相当する。以下、内層シート２１及び外層シート２２を合わせて非伸縮性シートともいう。
【００５６】
製造途中の状態（図４）において、上下方向における内層シート２１の一端２１ａの位置と伸縮性シート２４の一端２４ａの位置とが揃っている。外層シート２２は、内層シート２１及び伸縮性シート２４よりも上方に延在している。
【００５７】
製品状態（図５）では、外層シート２２は、内層シート２１及び伸縮性シート２４の一端２１ａ，２４ａの位置を折り位置Ｆとして、下方向に折り返されている。折り返された外層シート２２の部位２２１は、吸収性本体１０の長手方向の端部を肌側から覆っている。また、折り返された外層シート２２の部位２２１は、接着剤４２によって、伸縮性シート２４及び吸収性本体１０に固定されている。
【００５８】
また、非伸縮性シート（内層シート２１及び外層シート２２）と、伸縮性シート２４との間には、ホットメルト接着剤等の接着剤４１が塗布されている。この接着剤４１により、伸縮性シート２４は非伸縮性シート２１，２２に固定されている。図６に示すように、接着剤４１の塗布領域は平面視長方形状の領域である。この接着剤４１の塗布領域が本発明の固定部に相当する。以下、接着剤４１の塗布領域を固定部４１ともいう。
【００５９】
なお、接着剤４１の塗布領域に対して、部分的に接着剤４１が塗布されていてもよいし、全域に接着剤４１が塗布されていてもよい。接着剤４１の塗布パターンとしては、ストライプパターン、スパイラルパターン、Ωパターン等の公知のパターンを例示できる。また、接着剤４１の塗布領域の平面形状は長方形状に限定されない。また、固定部は、接着剤４１に限らず、熱溶着や超音波溶着等により、伸縮性シート２４を非伸縮性シート２１，２２に固定した溶着領域であってもよい。
【００６０】
固定部４１は、図６に示すように、左右方向に沿って延びる一端４１ａ及び他端４１ｂを有する。製品状態（図５）において、固定部４１の一端４１ａは他端４１ｂよりも上方に位置している。そして、固定部４１は、伸縮性シート２４の一端２４ａを上下方向に跨いで設けられている。
【００６１】
具体的には、製造途中の状態（図４）において、固定部４１は、伸縮性シート２４と内層シート２１の間に設けられつつ、伸縮性シート２４の一端２４ａを越えて外層シート２２の肌側面にも設けられている。そのため、製品状態（図５）では、外層シート２２の折り返しに伴って、固定部４１の一部も下方向に折り返されており、固定部４１は伸縮性シート２４の一端２４ａを上方から覆っている。よって、固定部４１は、製品状態（図５）において、伸縮性シート２４の一端２４ａを上下方向に跨いで設けられている。
【００６２】
このように固定部４１が設けられていることで、伸縮性シート２４の一端２４ａの側の部位は、その一端２４ａまで非伸縮性シート２１，２２に固定される。そのため、製造途中に、伸縮性シート２４が有する収縮力によって、伸縮性シート２４の一端２４ａの側の部位（すなわち胴回り開口部ＢＨ側の端部）が意図せずめくれてしまうことを抑えられる。
【００６３】
伸縮性シート２４がめくれるとは、おむつ１の左右方向に延びる折れ起点により、伸縮性シート２４の端部が厚さ方向に立ち上がること、又は、伸縮性シート２４の端部が上下方向に折り返されてしまうことである。伸縮性シート２４の端部が折り返されて、伸縮性シート２４が積層されてしまうと、折り返された伸縮性シート２４の分だけ左右方向の伸縮力が増加してしまう。
【００６４】
そのため、上記のように伸縮性シート２４の一端２４ａの側の部位の折り返しを抑えることで、腹側胴回り部２０の左右方向の伸縮力が、設計した力よりも大きくなってしまうことを防止できる。よって、おむつ１着用時の胴回り開口部ＢＨの広げやすさを維持でき、また、着用者の腹部に対する締め付けを防止できる。
【００６５】
また、胴回り開口部ＢＨの広げやすさについては、胴回り部２０，３０の上端部の伸縮力が大きく影響する。そのため、本実施形態のおむつ１のように伸縮性シート２４が腹側胴回り部２０の上端部に設けられている場合には、特に、伸縮性シート２４の一端２４ａの側の部位の折り返しを抑えることが有効となる。そうすることで、胴回り開口部ＢＨの広げやすさを維持できる。
【００６６】
なお、伸縮性シート２４が腹側胴回り部２０の上端部に設けられているとは、伸縮性シート２４の少なくとも一部が、上下方向における腹側胴回り部２０の中心ＣＬ（図５参照）よりも上方に位置していることとする。より好ましくは、伸縮性シート２４の全てが、腹側胴回り部２０の中心ＣＬよりも上方に位置しているとよい。
【００６７】
また、製品状態（図５）において、外層シート２２の一端２２ａの側の部位は下方向に折り返されている。腹側胴回り部２０の上端２０ａから、下方向に折り返された非伸縮性シートの一端（ここでは外層シート２２の一端２２ａ）までの上下方向の長さを長さＬ１とする。一方、腹側胴回り部２０の上端２０ａから伸縮性シート２４の一端２４ａまでの上下方向の長さはゼロである。この長さ（ゼロ）を前記長さＬ１よりも短くするとよい。
【００６８】
つまり、伸縮性シート２４の一端２４ａを、折り返された外層シート２２の一端２２ａよりも上方に位置させるとよい。そうすることで、伸縮性シート２４が下方に位置し過ぎることがない。よって、腹側胴回り部２０の上端部のフィット性を維持できる。
【００６９】
また、固定部４１は、伸縮性シート２４の両面のうちの一方の面２４Ａ（図４における非肌側面）を非伸縮性シート２１，２２に固定する第１領域４１１と、第１領域４１１以外の第２領域４１２とを有する。固定部４１の第２領域４１２とは、第１領域４１１に連続し、かつ、伸縮性シート２４の一端２４ａを越えて非伸縮性シート（ここでは外層シート２２）に設けられた固定部４１の領域である。
【００７０】
製造途中の状態（図４）において、固定部４１の第１領域４１１は、伸縮性シート２４と内層シート２１の間に位置して露出していない。一方、外層シート２２に設けられた固定部４１の第２領域４１２は肌側に露出している。仮に、製品状態において固定部４１の第２領域４１２が肌側に露出していると、固化した接着剤４１が着用者に当接し、腹側胴回り部２０の着け心地が低下してしまう。また、図示しないが、固定部４１の第２領域４１２が非肌側に露出している場合にも、外からの腹側胴回り部２０の触り心地が低下してしまう。
【００７１】
そのため、固定部４１の第２領域４１２の少なくとも一部は露出していないことが好ましい。より好ましくは、固定部４１の第２領域４１２の全てが露出していないとよい。つまり、固定部４１の第２領域４１２が、おむつ１を構成する資材の間に位置しているとよい。
【００７２】
本実施形態では、固定部４１の第２領域４１２は、下方向に折り返された外層シート２２の部位２２１で肌側から覆われている。換言すると、固定部４１の第２領域４１２は、折り返された外層シート２２の部位２２１と、伸縮性シート２４との間に位置し、露出していない。よって、腹側胴回り部２０の着け心地の低下、及び、触り心地の低下を抑制できる。
【００７３】
なお、腹側胴回り部２０の構成は図５に示すものに限定されない。例えば、外層シート２２と共に内層シート２１も下方向に折り返されている構成や、内層シート２１のみ下方向に折り返されている構成や、内層シート２１及び外層シート２２が下方向に折り返されていない構成等であってもよい。そのため、固定部４１の第２領域４１２を肌側から覆う資材は、外層シート２２に限定されない。例えば、下方向に折り返された内層シート２１や、非伸縮性シート２１，２２以外の別のシート等であってもよい。
【００７４】
また、製品状態（図５）において、伸縮性シート２４の一端２４ａの側の部位は下方向に折り返されていない。つまり、おむつ１の製造方法は、伸縮性シート２４の一端２４ａの側の部位を上下方向に折り返す工程を有していない。また、伸縮性シート２４の一端２４ａを跨ぐ固定部４１により、伸縮性シート２４のめくれが抑えられている。
【００７５】
そのため、腹側胴回り部２０の上端部において、伸縮性シート２４の積層枚数は１枚となる。つまり、腹側胴回り部２０の上端部における左右方向の伸縮力が適度に抑えられている。ゆえに、おむつ１着用時に胴回り開口部ＢＨを広げやすく、着用者の腹部に対する締め付けを防止できる。
【００７６】
一方、製品状態（図５）において、固定部４１の一端４１ａの側の部位は下方向に折り返されている。つまり、おむつ１の製造方法が、外層シート２２と共に固定部４１を下方向に折り返す工程を有している。
【００７７】
そのため、腹側胴回り部２０の上端部において、固定部４１が厚さ方向に積層される。つまり、接着剤４１の層が２層となり、腹側胴回り部２０の上端部の剛性が高められている。よって、おむつ１着用時に腹側胴回り部２０の上端部を把持しやすくなり、おむつ１を引き上げやすくなる。また、梱包時等に腹側胴回り部２０の上端部がめくれて折り癖がついてしまうことを抑制でき、おむつ１の外観の低下を防止できる。
【００７８】
＝＝＝変形例＝＝＝
図７から図１０は、腹側胴回り部２０の変形例の断面図である。図９Ａ及び図１０Ａは、製造途中の腹側胴回り部２０の図である。それ以外の図は、製品状態の腹側胴回り部２０の図である。
【００７９】
図７Ａ、図７Ｂ、及び、図８の腹側胴回り部２０では、図５と同様に、伸縮性シート２４の一端２４ａの側の部位が下方向に折り返されていない。ただし、伸縮性シート２４の一端２４ａが、腹側胴回り部２０の上端２０ａよりも下方に位置している。そして、伸縮性シート２４の一端２４ａを上下方向に跨ぐ固定部４１により、伸縮性シート２４の一端２４ａの側の部位のめくれが抑えられている。
【００８０】
また、図７Ａ、図７Ｂ、及び、図８の腹側胴回り部２０では、腹側胴回り部２０の上端２０ａから伸縮性シート２４の一端２４ａまでの上下方向の長さＬ２が、腹側胴回り部２０の上端２０ａから外層シート２２の一端２２ａまでの上下方向の長さＬ１よりも短くなっている（Ｌ２＜Ｌ１）。つまり、伸縮性シート２４が下方に位置し過ぎていない。よって、腹側胴回り部２０の上端部のフィット性を維持できる。
【００８１】
また、図７Ｂの腹側胴回り部２０では、図５と同様に、固定部４１の一端４１ａの側の部位が下方向に折り返されている。よって、腹側胴回り部２０の上端部の剛性が高められている。
【００８２】
一方、図７Ａ及び図８の腹側胴回り部２０では、固定部４１の一端４１ａの側の部位は、下方向に折り返されていない。よって、腹側胴回り部２０の上端部において、固定部４１の層が１層となり、腹側胴回り部２０の上端部が柔らかい。
【００８３】
また、図８の腹側胴回り部２０では、伸縮性シート２４の一端２４ａ、及び、固定部４１の一端４１ａは、腹側胴回り部２０の上端２０ａよりも下方に位置している。そのため、腹側胴回り部２０の上端部において、伸縮性シート２４及び固定部４１が位置しない領域が存在する。よって、腹側胴回り部２０の上端部がさらに柔らかい。
【００８４】
腹側胴回り部２０の上端部が柔らかいと、腹側胴回り部２０の上端（エッジ）２０ａで着用者の肌を刺激してしまうことを防止できる。また、おむつ１の自然状態において、腹側胴回り部２０の上端部はフリル形状になりやすい。よって、おむつ１は柔らかく、着け心地がよいものであるという印象を、ユーザーに持ってもらうことができる。
【００８５】
図９Ｂの腹側胴回り部２０は、伸縮性シート２４の一端２４ａの側の部位が下方向に折り返されている。そのために、製造途中の状態（図９Ａ）において、伸縮性シート２４は、外層シート２２と同様に、内層シート２１よりも上方に延在している。そして、おむつ１の製造方法が、外層シート２２と共に伸縮性シート２４を下方向に折り返す工程を有している。そのため、腹側胴回り部２０の上端部における伸縮性シート２４の積層枚数は２枚となる。よって、図９Ｂの腹側胴回り部２０では、図５等の腹側胴回り部２０に比べて、左右方向の伸縮力が高められる。
【００８６】
また、図９Ｂの腹側胴回り部２０においても、伸縮性シート２４の一端２４ａを跨ぐ固定部４１により、伸縮性シート２４の一端２４ａの側の部位のめくれが抑えられている。よって、伸縮性シート２４の積層枚数が３枚以上となり、腹側胴回り部２０の伸縮力が設計した力よりも大きくなることを防止できている。
【００８７】
さらに、図９Ｂの腹側胴回り部２０では、伸縮性シート２４同士を固定する接着剤が設けられておらず、折り返された伸縮性シート２４の一端２４ａの側の部位と、折り返されていない伸縮性シート２４の部位との対向面は固定されていない。よって、伸縮性シート２４の折り返された部位と折り返されていない部位との間に空間２４Ｂが形成され、腹側胴回り部２０の上端部のクッション性が高い。よって、着用者への肌当たりを良くできる。
【００８８】
また、腹側胴回り部２０において、伸縮性シート２４が設けられた部位は、糸状弾性部材２３が設けられた部位に比べて表面が滑らかとなり、おむつ１の引き上げ時に指が引っ掛かりにくい。しかし、図９Ｂでは、伸縮性シート２４が２層となり、その間に形成された空間２４Ｂにより、腹側胴回り部２０の上端部の厚さが厚くなる。その厚くなった部分が持ち手となり、おむつ１を引き上げやすい。
【００８９】
また、図９Ｂの腹側胴回り部２０においても、腹側胴回り部２０の上端２０ａから伸縮性シート２４の一端２４ａまでの上下方向の長さＬ２が、腹側胴回り部２０の上端２０ａから外層シート２２の一端２２ａまでの上下方向の長さＬ１よりも短くなっているとよい（Ｌ２＜Ｌ１）。そうすることで、折り返された伸縮性シート２４の長さが長過ぎてしまうことがなく、伸縮性シート２４が２層となっている領域を小さくできる。つまり、腹側胴回り部２０の左右方向の伸縮力を適度に抑えられる。
【００９０】
また、図１０Ｂの腹側胴回り部２０のように、下方向に折り返される外層シート２２の部位２２１に、伸縮性シート２４が固定部４１によって固定されていてもよい。なお、折り返された伸縮性シート２４と内層シート２１は接着剤４３により固定されているとよい。
【００９１】
この場合、製造途中の状態（図１０Ａ）では、伸縮性シート２４の下端２４ａが、伸縮性シート２４の一端２４ａとなり、固定部４１は伸縮性シート２４の下端２４ａを越えて下方向に延びている。そうすることで、製品状態（図１０Ｂ）において、伸縮性シート２４の一端２４ａの側の部位（すなわち胴回り開口部ＢＨ側の端部）のめくれを抑えられる。
【００９２】
＝＝＝伸縮性シート２４の股下側の端部について＝＝＝
図１１から図１５は、伸縮性シート２４の股下側の端部についての説明図であり、製品状態の腹側胴回り部２０の断面図である。
【００９３】
伸縮性シート２４を非伸縮性シート２１，２２に固定する固定部４１は、例えば、前述の図１０Ｂに示すように、伸縮性シート２４の他端２４ｂを上下方向に跨いで設けられていてもよい。この場合、伸縮性シート２４の他端２４ｂの側の部位（すなわち股下側の端部）のめくれを抑えられる。
【００９４】
また、前述の図５や図６等に示すように、固定部４１が、伸縮性シート２４の他端２４ｂを上下方向に跨いで設けられていなくてもよい。つまり、伸縮性シート２４の他端２４ｂの側の部位に固定部４１が設けられていなくてもよい。この場合、図１１から図１５に示すように、伸縮性シート２４の他端２４ｂの側の部位は、伸縮性シート２４が有する収縮力により、めくれる。
【００９５】
これは、おむつ１の製造工程において、伸縮性シート２４を非伸縮性シート２１，２２に固定した後の搬送中に、伸縮性シート２４に対する張力の掛かり方に微小な差が生じ、伸縮性シート２４が局所的に収縮することで、めくると考えられる。また、伸縮性シート２４の伸長方向に交差する幅方向に、伸縮性シート２４を広げて戻した場合にも、めくれると考えられる。
【００９６】
また、伸縮性シート２４の他端２４ｂの側の部位は、吸収性本体１０と重複するか、吸収性本体１０の近傍に位置する。そのため、伸縮性シート２４の他端２４ｂの側の部位は、めくれて厚さ方向に立ち上がるだけでなく、固定部４１の下端４１ｂ（他端）を起点に、上方向に折り返されやすい。
【００９７】
なお、伸縮性シート２４が折り返されるとは、左右方向に延びる折れ線が形成されるように折り返されていてもよいし、図１１Ａ等に示すように伸縮性シート２４の下端が湾曲するように折り返されていてもよい、すなわちカールしていてもよい。また、図９以前の図では、図の煩雑さを防止するため、伸縮性シート２４の他端２４ｂの側の部位が折り返されていない状態で描かれている。
【００９８】
伸縮性シート２４の他端２４ｂの側の部位が折り返されて２層となることで、伸縮性シート２４の股下側の端部の左右方向の伸縮力を高められる。つまり、腹側胴回り部２０のうち吸収性本体１０と重複する部位やその近傍の部位の伸縮力を高められる。よって、吸収性本体１０（吸収性コア１１Ａ）の位置ずれを抑制できる。例えば、排泄液を吸収した吸収性本体１０の垂れ下がりを抑制できる。そのため、排泄後も着用者に対する吸収性本体のフィット性を維持でき、排泄物の漏れを低減できる。また、着用者に違和感を生じさせることがなく、歩行等も行いやすくなる。
【００９９】
また、伸縮性シート２４の股下側の端部の伸縮力は、胴回り開口部ＢＨ側の端部の伸縮力に比べて、胴回り開口部ＢＨの広げやすさに影響しにくい。そのため、伸縮性シート２４の股下側の端部が２層となっていても、胴回り開口部ＢＨの広げやすさを維持できる。
【０１００】
また、伸縮性シート２４の股下側の端部の折り返しは、伸縮性シート２４が有する収縮力を利用したものである。つまり、おむつ１の製造方法は、伸縮性シート２４の他端２４ｂの側の部位を上方向に折り返す工程を有していない。そのため、おむつ１の製造方法を複雑化することなく、伸縮性シート２４の股下側の端部の伸縮力を高められるといえる。
【０１０１】
また、パンツ型おむつ１は、左右方向における腹側胴回り部２０の両側端部と背側胴回り部３０の両側端部とが溶着で接合された一対の接合領域２を有する。図６に示すように、伸縮性シート２４は、左右方向において、接合領域２の形成位置よりも外側まで延びて設けられているとよい。そして、伸縮性シート２４の他端２４ｂの側の部位が上方向に折り返されている状態で、接合領域２が形成されていることが好ましい。そうすることで、伸縮性シート２の他端２４ｂの側の部位の折り返しが維持される。
【０１０２】
次に、図１１から図１５を用いて、伸縮性シート２４が折り返されている部位（以下、折り返し部２４１ともいう）の上下方向の位置について説明する。折り返し部２４１は、具体的には、固定部４１の他端４１ｂに当接する伸縮性シート２４の部位２４ｃから伸縮性シート２４の他端２４ｂまでの部位である。
【０１０３】
なお、図１１Ａ、図１２Ａ、図１３Ａ、図１４Ａ、図１５Ａに示す腹側胴回り部２０では、伸縮性シート２４の折り返し部２４１が、吸収性本体１０よりも非肌側に位置している。一方、図１１Ｂ、図１２Ｂ、図１３Ｂ、図１４Ｂ、図１５Ｂに示す腹側胴回り部２０では、伸縮性シート２４の折り返し部２４１が、吸収性本体１０よりも肌側に位置している。
【０１０４】
そして、図１１Ａ及び図１１Ｂの腹側胴回り部２０では、伸縮性シート２４の折り返し部２４１は、吸収性本体１０の上端１０ａよりも上方に位置している。つまり、上下方向において、折り返し部２４１は、吸収性本体１０と重複していない。
【０１０５】
この場合、折り返し部２４１は、吸収性本体１０近傍の腹側胴回り部２０の部位を、着用者に密着させることができる。よって、吸収性本体１０（吸収性コア１１Ａ）の位置ずれを抑制できる。また、折り返し部２４１の伸縮力が、剛性の高い吸収性本体１０によって阻害されにくい。
【０１０６】
図１２Ａ及び図１２Ｂ腹側胴回り部２０では、伸縮性シート２４の折り返し部２４１は、吸収性本体１０の上端１０ａよりも下方に位置し、かつ、吸収性コア１１Ａの上端１１Ａａよりも上方に位置している。つまり、上下方向において、折り返し部２４１は、吸収性本体１０の上端部（トップシート１２、バックシート１３、外装シート１４、コアラップシート１１Ｂ）と重複しているが、吸収性コア１１Ａとは重複していない。
【０１０７】
そして、図１２Ａの折り返し部２４１は、吸収性本体１０よりも非肌側に位置している。よって、折り返し部２４１は、吸収性本体１０の上端部を、非肌側から着用者に密着させることができ、吸収性本体１０（吸収性コア１１Ａ）の位置ずれを抑制できる。
【０１０８】
一方、図１２Ｂの折り返し部２４１は、吸収性本体１０よりも肌側に位置している。この場合にも、折り返し部２４１は、吸収性本体１０の上端部と重複する腹側胴回り部２０の部位を着用者に密着させることができ、吸収性本体１０（吸収性コア１１Ａ）の位置ずれを抑制できる。また、図１２Ｂでは、伸縮性シート２４が、外層シート２２とともに、吸収性本体１０の上端１０ａを肌側から覆う。よって、着用者は吸収性本体１０の上端１０ａ（エッジ）の当たりを感じにくくなり、着用者に異物感を与えにくい。
【０１０９】
また、吸収性本体１０のうち吸収性コア１１Ａが存在する領域は、吸収性コア１１Ａが存在しない領域に比べて、剛性が高くなる。そのため、図１２Ａ及び図１２Ｂの場合、折り返し部２４１の伸縮力が、剛性の高い吸収性コア１１Ａによって阻害されにくい。
【０１１０】
図１３Ａ及び図１３Ｂの腹側胴回り部２０では、伸縮性シート２４の折り返し部２４１は、吸収性本体１０の上端１０ａを上下方向に跨いで設けられている。この場合、吸収性本体１０の上端１０ａ周辺において、資材数を徐々に変化させることができる。
【０１１１】
具体的には、上方から下方に向かって、伸縮性シート２４が１層である領域、伸縮性シート２４が２層である領域（折り返し部２４１）、２層である伸縮性シート２４（折り返し部２４１）に吸収性本体１０が積層される領域と、順に資材数を増やすことができる。したがって、吸収性本体１０が存在する領域と存在しない領域との段差や剛性差が軽減され、着用者に異物感を与えにくい。
【０１１２】
特に、図１３Ｂでは、伸縮性シート２４の折り返し部２４１が、吸収性本体１０の上端１０ａを肌側から覆う。よって、着用者は、図１２Ｂの場合よりも、吸収性本体１０の上端１０ａ（エッジ）の当たりを感じにくくなり、着用者に異物感を与えにくい。
【０１１３】
図１４Ａ及び図１４Ｂの腹側胴回り部２０では、伸縮性シート２４の折り返し部２４１は、吸収性コア１１Ａの上端１１Ａａよりも下方に位置している。つまり、上下方向において、折り返し部２４１は、吸収性コア１１Ａと重複している。
【０１１４】
そして、図１４Ａの折り返し部２４１は、吸収性コア１１Ａよりも非肌側に位置している。そのため、折り返し部２４１は、吸収性コア１１Ａを、非肌側から着用者に密着させることができ、吸収性本体１０（吸収性コア１１Ａ）の位置ずれを抑制できる。また、吸収性コア１１Ａが排泄液を吸収して重くなるため、吸収性本体１０のうち吸収性コア１１Ａが存在する部位が最も位置ずれしやすい。よって、図１４Ａでは、最も位置ずれしやすい吸収性本体１０の部位を着用者に密着させることができる。
【０１１５】
一方、図１４Ｂの折り返し部２４１は、吸収性コア１１Ａよりも肌側に位置している。この場合にも、折り返し部２４１は、最も位置ずれしやすい吸収性本体１０の部位と重複する腹側胴回り部２０の部位を、着用者に密着させることができ、吸収性本体１０（吸収性コア１１Ａ）の位置ずれを抑制できる。また、図１４Ｂでは、伸縮性シート２４が、吸収性本体１０及び吸収性コア１１の上端１０ａ，１１Ａａを肌側から覆う。よって、着用者は吸収性本体１０及び吸収性コア１１の上端（エッジ）１０ａ，１１Ａａの当たりを感じにくくなり、着用者に異物感を与えにくい。
【０１１６】
図１５Ａ及び図１５Ｂの腹側胴回り部２０では、伸縮性シート２４の折り返し部２４１は、吸収性コア１１Ａの上端１１Ａａを上下方向に跨いで設けられている。この場合、吸収性コア１１Ａの上端１１Ａａ周辺において、資材数を徐々に変化させることができる。
【０１１７】
具体的には、上方から下方に向かって、吸収性本体１０の上端部と１層の伸縮性シート２４が積層される領域、吸収性本体１０の上端部と２層の伸縮性シート２４（折り返し部２４１）が積層される領域、吸収性本体１０のうち吸収性コア１１Ａが存在する領域と２層の伸縮性シート２４が積層される領域と、順に資材数を増やすことができる。したがって、吸収性コア１１Ａが存在する領域と存在しない領域との段差や剛性差が軽減され、着用者に異物感を与えにくい。
【０１１８】
特に、図１５Ｂでは、伸縮性シート２４の折り返し部２４１が、吸収性コア１１の上端１１Ａａを肌側から覆う。よって、着用者は、図１４Ｂの場合よりも、吸収性コア１１Ａの上端（エッジ）１１Ａａの当たりを感じにくくなり、着用者に異物感を与えにくい。
【０１１９】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。
【０１２０】
上記の実施形態では、腹側胴回り部２０が伸縮性シート２４を有し、腹側胴回り部２０が本発明の第１胴回り部に該当し、背側胴回り部２０が本発明の第２胴回り部に該当するが、これに限らない。例えば、背側胴回り部２０が伸縮性シート２４を有し、背側胴回り部３０が本発明の第１胴回り部に該当し、腹側胴回り部２０が本発明の第２胴回り部に該当する形態でもよい。また、本発明の第２胴回り部が伸縮性シートを有していてもよく、腹側胴回り部２０及び背側胴回り部３０が共に伸縮性シートを有する形態でもよい。その場合、第２胴回り部が有する伸縮性シート（腹側胴回り部２０と背側胴回り部３０の何れか一方が有する伸縮性シート）を非伸縮性シートに固定する固定部は、伸縮性シートの一端を上下方向に跨いでいても、跨いでいなくてもよい。
【０１２１】
また、上記の実施形態では、腹側胴回り部２０の上端部に伸縮性シート２４を配置しているが、これに限らず、上下方向における腹側胴回り部２０の何れの位置に伸縮性シート２４を配置してもよい。
【０１２２】
また、上記の実施形態では、パンツ型吸収性物品として、腹側胴回り部２０と背側胴回り部３０が分離され、腹側胴回り部２０と背側胴回り部３０と吸収性本体１０の３部材を有する所謂３ピースタイプのおむつを例示したがこれに限らない。例えば、腹側胴回り部２０と背側胴回り部３０が股下部を介して連続した一部材で形成されており、腹側胴回り部２０と背側胴回り部３０が一体化された外装部材と、吸収性本体の２部材を有する所謂２ピースタイプのおむつであってもよい。
【符号の説明】
【０１２３】
１  おむつ（パンツ型吸収性物品）、２  接合領域、
１０  吸収性本体、１１  吸収体、
１１Ａ  吸収性コア、１１Ｂ  コアラップシート、
１２  トップシート、１３  バックシート、
１４  外装シート、１５  脚回り弾性部材、
２０  腹側胴回り部（第１胴回り部）、
２１  内層シート（非伸縮性シート）、２２  外層シート（非伸縮性シート）、
２３  糸状弾性部材、２４  伸縮性シート、
３０  背側胴回り部（第２胴回り部）、３１  内層シート、
３２  外層シート、３３  糸状弾性部材、
４１  固定部（接着剤）、４２，４３  接着剤、
【図１】
2019118581.tif 000003
【図２】
2019118581.tif 000004
【図３】
2019118581.tif 000005
【図４】
2019118581.tif 000006
【図５】
2019118581.tif 000007
【図６】
2019118581.tif 000008
【図７】
2019118581.tif 000009
【図８】
2019118581.tif 000010
【図９】
2019118581.tif 000011
【図１０】
2019118581.tif 000012
【図１１】
2019118581.tif 000013
【図１２】
2019118581.tif 000014
【図１３】
2019118581.tif 000015
【図１４】
2019118581.tif 000016
【図１５】
2019118581.tif 000017